(57)【要約】      （修正有）【課題】仰向けに寝かせた状態の両足をＭ字型に広げた乳児に対しても容易に履かせることができるパンツ型使い捨ておむつを提供する。【解決手段】おむつ１は下記要件（１）〜（６）を具備する。（１）自然状態のおむつのウエスト部での内寸の長さＬ１が９０ｍｍ以上１５０ｍｍ以下である。（２）おむつを展開し且つ最大に伸長させた際の縦方向の全長が３５０ｍｍ以上４８０ｍｍ以下である。（３）おむつの伸長状態のウエスト開口部ＷＨの周囲長が６００ｍｍ以上７２０ｍｍ以下である。（４）前記長さＬ１に対する、１０Ｎ荷重させた伸長状態におけるウエスト部の内寸の長さの割合が２２５％以上である。（５）前記長さＬ１に対する、荷重を開放した状態におけるウエスト部の内寸の長さの割合が１４０％以下である。（６）ウエスト部でのヤング率が２．４×１０-4Ｎ／ｍｍ2以下である。【選択図】図１
0003207593.tif 000002
【実用新案登録請求の範囲】
【請求項１】
着用者の前後方向に対応する縦方向及びこれに直交する横方向を有する伸縮性の外装体と、該外装体の内側に固定されている液保持性の吸収体を有する吸収性本体とを具備し、前記外装体は着用時に着用者の腹側に配される腹側領域と着用時に着用者の背側に配される背側領域と該腹側領域及び該背側領域の間の股下領域とに区分されており、前記腹側領域及び前記背側領域それぞれの両側縁部が接合されて、一対のサイドシール部が形成されるとともに、ウエスト開口部及び一対のレッグ開口部が形成されたパンツ型使い捨ておむつであって、
前記パンツ型使い捨ておむつの自然状態における前記ウエスト開口部を含むウエスト部の内面での一対の前記サイドシール部どうしの間の内寸の長さ（Ｌ１）が９０ｍｍ以上１５０ｍｍ以下であり、
前記パンツ型使い捨ておむつを展開し且つ縦方向に最大に伸長させた伸長状態における縦方向の全長が３５０ｍｍ以上４８０ｍｍ以下であり、
前記パンツ型使い捨ておむつを横方向に最大に伸長させた伸長状態における前記ウエスト開口部の開口周縁での周囲長が６００ｍｍ以上７２０ｍｍ以下であり、
前記自然状態の前記ウエスト部の内寸の長さ（Ｌ１）に対する、前記パンツ型使い捨ておむつを横方向に１０Ｎ荷重させた伸長状態における前記ウエスト部の内面での一対の前記サイドシール部どうしの間の内寸の長さ（Ｌ２）の割合（（Ｌ２／Ｌ１）×１００）が、２２５％以上であり、
前記自然状態の前記ウエスト部の内寸の長さ（Ｌ１）に対する、前記パンツ型使い捨ておむつを横方向に１０Ｎ荷重させた伸長状態から荷重を開放した状態における前記ウエスト部の内面での一対の前記サイドシール部どうしの間の内寸の長さ（Ｌ３）の割合（（Ｌ３／Ｌ１）×１００）が、１４０％以下であり、
前記ウエスト部でのヤング率（Ｙ１）が２．４×１０-4Ｎ／ｍｍ2以下であるパンツ型使い捨ておむつ。
【請求項２】
前記ウエスト部でのヤング率（Ｙ１）に対する、前記パンツ型使い捨ておむつの胴周り部でのヤング率（Ｙ２）の比（Ｙ２／Ｙ１）が１．５倍以上である請求項１に記載のパンツ型使い捨ておむつ。
【請求項３】
前記パンツ型使い捨ておむつの胴周り部でのヤング率（Ｙ２）が２．６×１０-4Ｎ／ｍｍ2以上４．９×１０-4Ｎ／ｍｍ2以下である請求項１又は２に記載のパンツ型使い捨ておむつ。
【請求項４】
前記パンツ型使い捨ておむつを展開し且つ縦方向に最大に伸長させた伸長状態における前記外装体の前記股下領域での最小股間幅の位置が、前記パンツ型使い捨ておむつを縦方向に二等分して横方向に延びる横二等分線よりも前記腹側領域側に配されている請求項１〜３の何れか１項に記載のパンツ型使い捨ておむつ。
【請求項５】
前記パンツ型使い捨ておむつを展開し且つ縦方向に最大に伸長させた伸長状態における前記外装体の前記股下領域での最小股間幅が、１４０ｍｍ以上１９０ｍｍ以下である請求項１〜４の何れか１項に記載のパンツ型使い捨ておむつ。
【請求項６】
前記パンツ型使い捨ておむつの前記レッグ開口部を最大に伸長させた伸長状態における該レッグ開口部の内周面での周囲長が２７０ｍｍ以上３５０ｍｍ以下である請求項１〜５の何れか１項に記載のパンツ型使い捨ておむつ。
【請求項７】
前記レッグ開口部に配されたレッグギャザー形成用の弾性部材は、その伸長倍率が、１．８倍以上２．４倍以下で配されている請求項１〜６の何れか１項に記載のパンツ型使い捨ておむつ。
【請求項８】
前記吸収体の縦方向の前記腹側領域側の端部及び前記背側領域側の端部における幅が、８０ｍｍ以上１５０ｍｍ以下である請求項１〜７の何れか１項に記載のパンツ型使い捨ておむつ。
【考案の詳細な説明】
【技術分野】
【０００１】
本考案は、パンツ型使い捨ておむつに関する。
【背景技術】
【０００２】
本出願人は、先に、掴まり立ちのできないような低月齢児に対して、寝かせた状態で履かせることを考慮したパンツ型使い捨ておむつを提案した（例えば、特許文献１）。特許文献１に記載の低月齢児用のパンツ型使い捨ておむつによれば、低月齢児の足を容易にレッグ開口部に通すことができ、低月齢児に容易に履かせることができる。
【先行技術文献】
【特許文献】
【０００３】
【特許文献１】特開２００５−１９８７８３号公報
【考案の概要】
【考案が解決しようとする課題】
【０００４】
近年、パンツ型使い捨ておむつの使用開始年齢が早まっており、乳児に対してもパンツ型使い捨ておむつが使用されるようになってきた。本考案者は、乳児にパンツ型使い捨ておむつを履かせる際には、仰向けに寝かせた状態で履かせることが想定され、仰向けに寝かせた状態の乳児は両足をＭ字型に広げることが多いことを見出した。
【０００５】
しかし、特許文献１に記載のパンツ型使い捨ておむつは、両足をＭ字型に広げた乳児に対してまで容易に履かせることができるとは言い難く、両足をＭ字型に広げた乳児に対して更なる改良の余地があった。
【０００６】
従って、本考案は、上記課題を解消し得るパンツ型使い捨ておむつを提供することに関する。
【課題を解決するための手段】
【０００７】
本考案は、着用者の前後方向に対応する縦方向及びこれに直交する横方向を有する伸縮性の外装体と、該外装体の内側に固定されている液保持性の吸収体を有する吸収性本体とを具備し、前記外装体は着用時に着用者の腹側に配される腹側領域と着用時に着用者の背側に配される背側領域と該腹側領域及び該背側領域の間の股下領域とに区分されており、前記腹側領域及び前記背側領域それぞれの両側縁部が接合されて、一対のサイドシール部が形成されるとともに、ウエスト開口部及び一対のレッグ開口部が形成されたパンツ型使い捨ておむつであって、前記パンツ型使い捨ておむつの自然状態における前記ウエスト開口部を含むウエスト部の内面での一対の前記サイドシール部どうしの間の内寸の長さ（Ｌ１）が９０ｍｍ以上１５０ｍｍ以下であり、前記パンツ型使い捨ておむつを展開し且つ縦方向に最大に伸長させた伸長状態における縦方向の全長が３５０ｍｍ以上４８０ｍｍ以下であり、前記パンツ型使い捨ておむつを横方向に最大に伸長させた伸長状態における前記ウエスト開口部の開口周縁での周囲長が６００ｍｍ以上７２０ｍｍ以下であり、前記自然状態の前記ウエスト部の内寸の長さ（Ｌ１）に対する、前記パンツ型使い捨ておむつを横方向に１０Ｎ荷重させた伸長状態における前記ウエスト部の内面での一対の前記サイドシール部どうしの間の内寸の長さ（Ｌ２）の割合（（Ｌ２／Ｌ１）×１００）が、２２５％以上であり、前記自然状態の前記ウエスト部の内寸の長さ（Ｌ１）に対する、前記パンツ型使い捨ておむつを横方向に１０Ｎ荷重させた伸長状態から荷重を開放した状態における前記ウエスト部の内面での一対の前記サイドシール部どうしの間の内寸の長さ（Ｌ３）の割合（（Ｌ３／Ｌ１）×１００）が、１４０％以下であり、前記ウエスト部でのヤング率（Ｙ１）が２．４×１０-4Ｎ／ｍｍ2以下であるパンツ型使い捨ておむつを提供するものである。
【考案の効果】
【０００８】
本考案のパンツ型使い捨ておむつによれば、仰向けに寝かせた状態の乳児に対しても容易に履かせることができる。
【図面の簡単な説明】
【０００９】
【図１】図１は、本考案の吸収性物品の一実施形態であるパンツ型使い捨ておむつの一例を模式的に示す斜視図である。
【図２】図２は、図１に示すおむつの展開且つ伸長状態における肌対向面側を一部破断して模式的に示す展開平面図である。
【図３】図３は、図２のＩＩＩ−ＩＩＩ線に沿う断面を示す模式断面図である。
【図４】図４は、図１に示す使い捨ておむつを仰向けに寝かせた状態の乳児に履かせる様子を示す説明図である。
【図５】図５は、仰向けに寝かせた状態の乳児に図１に示す使い捨ておむつを履かせた状態を示す説明図である。
【考案を実施するための形態】
【００１０】
以下、本考案のパンツ型使い捨ておむつを、その好ましい実施形態に基づき、図１〜図５を参照しながら説明する。
本実施形態のパンツ型使い捨ておむつ１（以下、単に「おむつ１」ともいう。）は、図１〜図３に示すように、着用者の前後方向に対応する縦方向Ｘ及びこれに直交する横方向Ｙを有する伸縮性の外装体３と、外装体３の内側に固定されている液保持性の吸収体２３を有する吸収性本体２とを具備する。外装体３は、着用時に着用者の腹側に配される腹側領域Ａと着用時に着用者の背側に配される背側領域Ｃと該腹側領域Ａ及び該背側領域Ｃの間の股下領域Ｂとに区分されている。おむつ１には、外装体３における腹側領域Ａ及び背側領域Ｃそれぞれの両側縁部ＡＳ，ＣＳが接合されて、一対のサイドシール部Ｓ，Ｓが形成されるとともに、ウエスト開口部ＷＨ及び一対のレッグ開口部ＬＨ，ＬＨが形成されている。
【００１１】
上述した股下領域Ｂは、おむつ１の着用状態において着用者の股間部に配される部位であり、腹側領域Ａは、おむつ１の着用状態において股下領域Ｂよりも着用者の腹側即ち縦方向Ｘの前側に配される部位であり、背側領域Ｃは、おむつ１の着用状態において股下領域Ｂよりも着用者の背側即ち縦方向Ｘの後側に配される部位である。おむつ１では、図２に示すように、吸収体２３が腹側領域Ａから背側領域Ｃに亘って配されている。そして、おむつ１では、外装体３が吸収性本体２の非肌対向面側に配されている。また、おむつ１では、外装体３における腹側領域Ａの両側縁部ＡＳ，ＡＳと背側領域Ｃの両側縁部ＣＳ，ＣＳとは、接着剤、ヒートシール、超音波シール等の公知の接合手段によって互いに接合されている。
【００１２】
おむつ１は、図２に示すように、おむつ１を縦方向Ｘに二等分して横方向Ｙに延びる横二等分線ＣＬｘを基準として、着用状態において着用者の身体の前側（腹側）を覆う前身頃Ｆと、着用状態において着用者の身体の後側（背側）を覆う後身頃Ｒとに区分される。腹側領域Ａは前身頃Ｆの一部であり、背側領域Ｃは後身頃Ｒの一部であり、股下領域Ｂは前身頃Ｆと後身頃Ｒとに跨って存している。腹側領域Ａ及び背側領域Ｃは、何れも縦方向Ｘにおいてサイドシール部Ｓと同位置にある部分であり、おむつ１の着用状態において着用者の胴周りに配される部位である。腹側領域Ａ及び背側領域Ｃは、おむつ１のウエスト開口部ＷＨを含むウエスト部ＷＴ及び胴周り部ＤＴに区分される。ここで、ウエスト部ＷＴとは、ウエスト開口部ＷＨの開口周縁から吸収体２３（吸収性本体２）の縦方向Ｘの端縁までの領域に配される、後述する複数の胴周り弾性部材３４において、配される胴周り弾性部材３４の太さ或いは伸長率等を変更することにより弾性部材の応力が、隣り合う胴周り弾性部材３４，３４どうしで変わる場合には、ウエスト開口部ＷＨの開口周縁から、弾性部材の応力の変わった胴周り弾性部材３４と該胴周り弾性部材３４にウエスト開口部ＷＨ側に隣り合う胴周り弾性部材３４との縦方向Ｘの中間の位置までをウエスト部ＷＴとする。また、複数の胴周り弾性部材３４において、弾性部材の応力が変化せず、隣り合う胴周り弾性部材３４，３４どうしのピッチが変化する場合には、ウエスト開口部ＷＨの開口周縁から、変化したピッチを形成する胴周り弾性部材３４，３４どうしの縦方向Ｘの中間の位置までをウエスト部ＷＴとする。また、弾性部材の応力も変化せず、隣り合う胴周り弾性部材３４，３４どうしのピッチも変化しない場合には、ウエスト開口部ＷＨの開口周縁から縦方向Ｘに３５ｍｍ離れた位置までをウエスト部ＷＴとする。また、胴周り部ＤＴとは、ウエスト部ＷＴの股下領域Ｂ側の下端からサイドシール部Ｓの股下領域Ｂ側の下端の位置或いはレッグ開口部ＬＨの上端の位置までの領域を意味する。股下領域Ｂは、外装体３の縦方向Ｘに沿う両側縁部にレッグ開口部ＬＨ，ＬＨ形成用の凹欠部が形成されている領域である。股下領域Ｂは、おむつ１の着用状態において着用者の排泄部に対向配置される排泄部対向部を有しており、該排泄部対向部は通常、おむつ１の縦方向Ｘの中央部（横二等分線ＣＬｘ上）の近傍に位置している。
【００１３】
おむつ１では、吸収性本体２は、図２に輪郭線で示したように平面視長方形形状をなし、腹側領域Ａから背側領域Ｃにわたって縦方向Ｘに延在しており、その長手方向を展開且つ伸長状態におけるおむつ１の縦方向Ｘに一致させて、外装体３の横方向Ｙの中央部に配置され、接着剤により外装体３に接合されている。
【００１４】
おむつ１では、吸収性本体２は、図２に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を具備しており、これらが接着剤等の公知の接合手段により一体化されて構成されている。吸収体２３は、平面視長方形形状をなし、吸収性本体２の外形を形作っており、図２に示す如き平面視において、吸収体２３と吸収性本体２とは縦方向両端縁が一致している。表面シート２１、裏面シート２２及び吸収体２３としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。吸収体２３としては、パルプ繊維等の繊維材料の集合体又は吸水性ポリマー粒子を含んで構成される吸収性コアを有するものを用いることができ、該吸収性コアはその外面が液透過性のコアラップシートで被覆されていても良い。
【００１５】
図２に示すように、吸収性本体２の肌対向面における縦方向Ｘに沿う左右両側部には、液抵抗性又は撥水性で且つ通気性のシート材から構成された一対の防漏カフ２４，２４が設けられている。各防漏カフ２４の自由端部の近傍には糸状の防漏カフ形成用弾性部材２５が１本以上伸長状態で配されている。防漏カフ２４は、伸長状態で配された弾性部材２５がおむつ１の着用時に収縮することによって少なくとも股下領域Ｂで起立し、それによって尿等の排泄液の横方向Ｙの外方への流出を阻止する。
【００１６】
本明細書において、「肌対向面」は、吸収性物品又はその構成部材（例えば吸収性本体）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側、即ち相対的に着用者の肌から遠い側に向けられる面である。尚、ここでいう「着用時」は、通常の適正な着用位置、即ち当該吸収性物品の正しい着用位置が維持された状態を意味し、吸収性物品が該着用位置からずれた状態にある場合は含まない。
【００１７】
おむつ１の外装体では、図１及び図２に示すように、腹側領域Ａ及び背側領域Ｃの何れにおいても、横方向Ｙに延びる胴周り弾性部材３４が配されている。ここで、外装体３は、おむつ１の外形を形成する主体部であり、自ずと、腹側領域Ａ、股下領域Ｂ及び背側領域Ｃそれぞれの外形を形成する主体部でもある。即ち外装体３は、おむつ１の全構成部材のうちで面積が最大であり、図２に示す如き展開且つ伸長状態のおむつ１の外形を形作っており、外装体３の周縁は、その状態のおむつ１の輪郭線、即ち腹側領域Ａ、股下領域Ｂ及び背側領域Ｃそれぞれの輪郭線を形成している。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１８】
おむつ１では、外装体３は、図２に示す如き展開且つ伸長状態の平面視において、腹側領域Ａ及び背側領域Ｃにおいては、縦方向Ｘよりも横方向Ｙの長さが長い矩形形状をなし、腹側領域Ａと背側領域Ｃとの間に位置する股下領域Ｂにおいては、外装体３の縦方向Ｘに沿う両側縁部即ち一対のレッグ周縁部ＬＳ，ＬＳが横方向Ｙの中央に向かって凸の円弧状に湾曲している。おむつ１の外形を形成する主体部である外装体３が、展開且つ伸長状態において斯かる平面視形状を有していることにより、同状態のおむつ１の平面視形状は、図２に示すように、縦方向Ｘの中央域が横方向Ｙの内方に向けて括れた砂時計状となる。
【００１９】
おむつ１では、外装体３は、図３に示すように、着用状態においておむつ１の最外面即ち非肌対向面を形成する外層シート３１と、外層シート３１の肌対向面に対向配置された内層シート３２と含んで構成されている。つまり、斯かる外層シート３１及び内層シート３２の積層体は、おむつ１の外形を形成する主体部であり、腹側領域Ａ、股下領域Ｂ及び背側領域Ｃそれぞれの外形を形成する主体部でもある。外装体３においては、外層シート３１及び内層シート３２は不織布から構成されている。
【００２０】
外層シート３１は、図３に示すように、おむつ１の全構成部材のうちで、着用者の肌から最も遠くに位置する構成部材である。内層シート３２は、外層シート３１よりも相対的に着用者の身体から近い側に位置し、着用状態においておむつ１の内面即ち肌対向面を形成する。外層シート３１と内層シート３２との間は、所定の部位において接着剤によって接合されている。外層シート３１及び内層シート３２としては、それぞれ、この種の吸収性物品において外装体として従来用いられている各種のものを特に制限なく用いることができ、例えば、スパンボンド不織布、エアスルー不織布、ニードルパンチ不織布等の各種製法による不織布が好ましい。
【００２１】
おむつ１では、図１〜図３に示すように、一対のレッグ開口部ＬＨ，ＬＨそれぞれの開口周縁を形成するレッグ周縁部ＬＳには、糸状又は帯状の１本又は複数本のレッグギャザー形成用のレッグ弾性部材３３が伸長状態で配されており、これによって一対のレッグ開口部ＬＨ，ＬＨそれぞれの開口周縁には、その全周にわたって実質的に連続した環状のレッグギャザーが形成される。
【００２２】
また、おむつ１では、図１〜図３に示すように、腹側領域Ａ及び背側領域Ｃそれぞれにおける、ウエスト部ＷＴ及び胴周り部ＤＴには、糸状又は帯状の胴周り弾性部材３４が横方向Ｙに伸長状態で複数本配され、それら複数本の胴周り弾性部材３４は縦方向Ｘに所定間隔を置いて間欠配置されている。胴周り弾性部材３４は、外装体３の横方向Ｙの略全長に亘って延びている。このように、ウエスト部ＷＴに胴周り弾性部材３４がその弾性伸縮性が発現される状態で配されていることにより、ウエスト開口部ＷＨのウエスト部ＷＴには、その全周にわたって実質的に連続した環状のウエストギャザーが形成される。
【００２３】
おむつ１では、図２に示すように、腹側領域Ａ及び背側領域Ｃそれぞれにおける、縦方向Ｘにおいて外装体３と吸収性本体２（吸収体２３）とが重なる領域においては、糸状又は帯状の胴周り弾性部材３４が、縦方向Ｘに所定間隔を置いて間欠配置されている。前記重なる領域に間欠配置された胴周り弾性部材３４においては、少なくとも一部の胴周り弾性部材３４が分断されるなどして伸縮性が阻害されており、弾性伸縮性が発現される状態では配されていない。また、外装体３における、吸収体２３の縦方向Ｘに沿う両側縁から外方の領域においては、胴周り弾性部材３４が伸縮可能な状態となっている。
【００２４】
おむつ１では、図２に示すように、レッグ弾性部材３３及び胴周り弾性部材３４が、何れも外装体３を構成する外層シート３１と内層シート３２との間に接着剤等の接合手段により挟持固定されている。各弾性部材３３，３４としては、天然ゴム、ポリウレタン系樹脂、発泡ウレタン系樹脂、ホットメルト系伸縮部材等の伸縮性素材を糸状（糸ゴム）又は帯状（平ゴム）に形成したものが好ましく用いられる。
【００２５】
おむつ１では、外装体３が以上のように配された胴周り弾性部材３４を有しているので、図１に示すように、吸収性本体２の吸収体２３と重なる領域の一部においては、胴周り弾性部材３４が伸縮性を有していない非伸縮領域ＮＥＸとなり、吸収体２３の縦方向Ｘに沿う両側縁から外方の領域においては、胴周り弾性部材３４が伸縮性を有する伸縮領域ＥＸとなっている。
【００２６】
おむつ１では、図１及び図２に示すように、腹側領域Ａ及び背側領域Ｃにおいて、外層シート３１は、内層シート３２の縦方向Ｘの端縁から縦方向Ｘの外方に延出し且つ内層シート３２の肌対向面に向けて折り返されている折り返し部３１０を有している。即ち外層シート３１は、内層シート３２と同形状・同寸法の部分、即ちおむつ１の外形を形成する主体部を構成する部分に加えてさらに、両シート３１，３２を積層した際に内層シート３２の縦方向Ｘの両端縁それぞれから外方に延出する部分を有しており、その延出部が折り返し部３１０となる。おむつ１では、腹側領域Ａ及び背側領域Ｃにおいて、折り返し部３１０が、吸収性本体２（吸収体２３）の縦方向Ｘの端部を覆うようにして内層シート３２の肌対向面に固定されている。
【００２７】
上述した本考案の実施形態のおむつ１は、下記構成要件（１）〜（６）を具備するため、図４に示すように、おむつ１のウエスト開口部ＷＨのウエスト部ＷＴが広がり易い。その為、乳児の保護者等の使用者がおむつ１を乳児に装着させる際、使用者が、例えば、図４に示すように、両手をそれぞれおむつ１のレッグ開口部ＬＨからウエスト開口部ＷＨに挿入した状態で両手を広げれば、ウエスト開口部ＷＨのウエスト部ＷＴが広がり易く、仰向けに寝かせた状態でＭ字型に広げた両足を両手で掴んで、一対のレッグ開口部ＬＨ，ＬＨそれぞれから足を引き出せば、図５に示すように、仰向けに寝かせた状態の乳児に対してもおむつ１を容易に履かせることができる。おむつ１の装着方法は特に制限されないが、前述した方法によれば、仰向けに寝かせた状態の乳児に対しておむつ１を容易に履かせることができる。
【００２８】
前記構成要件（１）：おむつ１の自然状態におけるウエスト開口部ＷＨを含むウエスト部ＷＴの内面での一対のサイドシール部Ｓ，Ｓどうしの間の内寸の長さ（Ｌ１）が、９０ｍｍ以上１５０ｍｍ以下であること。ここで、自然状態のおむつ１のウエスト部ＷＴでの内寸の長さ（Ｌ１）は、複数のパンツ型使い捨ておむつが製品としてパックで保存された状態（圧縮して包装袋に充填した市販状態）から取り出した直後のおむつ１において測定する。測定は、ウエスト開口部ＷＨの開口周縁、ウエスト開口部ＷＨの開口周縁から吸収体２３（吸収性本体２）側に１５ｍｍ離れた位置、及びウエスト開口部ＷＨの開口周縁から吸収体２３（吸収性本体２）側に３５ｍｍ離れた位置の３か所で、一対のサイドシール部Ｓ，Ｓどうしの間の長さを測定し、それらの平均値を内寸の長さ（Ｌ１）とする。上記効果を一層奏する観点から、自然状態のおむつ１のウエスト部ＷＴでの内寸の長さ（Ｌ１）は、９５ｍｍ以上であることが更に好ましく、１００ｍｍ以上であることが特に好ましく、そして、１４０ｍｍ以下であることが更に好ましく、１３０ｍｍ以下であることが特に好ましく、具体的には、９５ｍｍ以上１４０ｍｍ以下であることが更に好ましく、１００ｍｍ以上１３０ｍｍ以下であることが特に好ましい。
【００２９】
前記構成要件（２）：おむつ１を展開し且つ縦方向Ｘに最大に伸長させた伸長状態における縦方向Ｘの全長が、３５０ｍｍ以上４８０ｍｍ以下であること。ここで、おむつ１の「展開し且つ縦方向に最大に伸長させた伸長状態」とは、おむつ１をサイドシール部Ｓで切り離して展開状態とし、その展開状態のおむつ１を縦方向Ｘに伸長させて設計寸法（弾性部材の影響を一切排除した状態で縦方向Ｘに広げたときの寸法と同じ）となるまで拡げた状態をいう。上記効果を一層奏する観点から、前記縦方向Ｘの３７０ｍｍ以上であることが更に好ましく、３９０ｍｍ以上であることが特に好ましく、そして、特に乳児の体型に合わせた着用時のフィット感の観点から、４７０ｍｍ以下であることが更に好ましく、４６０ｍｍ以下であることが特に好ましく、具体的には、３７０ｍｍ以上４７０ｍｍ以下であることが更に好ましく、３９０ｍｍ以上４６０ｍｍ以下であることが特に好ましい。
【００３０】
前記構成要件（３）：おむつ１を横方向Ｙに最大に伸長させた伸長状態におけるウエスト開口部ＷＨの開口周縁での周囲長が６００ｍｍ以上７２０ｍｍ以下であること。ここで、おむつ１の「展開し且つ横方向に最大に伸長させた伸長状態」とは、おむつ１をサイドシール部Ｓで切り離して展開状態とし、その展開状態のおむつ１を横方向Ｙに伸長させて設計寸法（弾性部材の影響を一切排除した状態で横方向Ｙに広げたときの寸法と同じ）となるまで拡げた状態をいう。上記効果を一層奏する観点から、前記ウエスト開口部ＷＨの周囲長は、６２０ｍｍ以上であることが更に好ましく、６４０ｍｍ以上であることが特に好ましく、そして、特に乳児の体型に合わせた着用時のフィット感の観点から、７１０ｍｍ以下であることが更に好ましく、７００ｍｍ以下であることが特に好ましく、具体的には、６２０ｍｍ以上７１０ｍｍ以下であることが更に好ましく、６４０ｍｍ以上７００ｍｍ以下であることが特に好ましい。
【００３１】
前記構成要件（４）：おむつ１の自然状態のウエスト部ＷＴの内寸の長さ（Ｌ１）に対する、おむつ１を横方向Ｙに１０Ｎ荷重させた伸長状態におけるウエスト部ＷＴの内面での一対のサイドシール部Ｓ，Ｓどうしの間の内寸の長さ（Ｌ２）の割合（（Ｌ２／Ｌ１）×１００）が、２２５％以上であること。ここで、横方向Ｙに１０Ｎ荷重させた伸長状態のおむつ１におけるウエスト部ＷＴでの内寸の長さ（Ｌ２）は、次の要領で求められる。
長さ１５０ｍｍ・直径７ｍｍの円柱棒を２本用意し、おむつ１のウエスト開口部ＷＨから一方のレッグ開口部ＬＨに１本の円柱棒を挿入し、おむつ１のウエスト開口部ＷＨから他方のレッグ開口部ＬＨに残り１本の円柱棒を挿入する。次いで、引張試験機（例えば株式会社島津製作所製ＡＵＴＯＧＲＡＰＨ  ＡＧ−Ｘ）の上下一対のチャックそれぞれで、挿入した各円柱棒の両端部のみを挟持し、上下一対のチャック間に、２本の円柱棒が挿入されたおむつ１をセットする。次いで、２本の中心（円柱棒の断面の中心）間距離を９０ｍｍ以下に設定する。そして、引張速度を３００ｍｍ／ｍｉｎとなるように、上下一対のチャックを互いに遠ざかる方向に移動させておむつ１をその横方向Ｙに引っ張り、引張荷重（最大荷重）が１０Ｎとなった時点でチャックの移動を停止して、チャック間に固定されている伸長状態のおむつ１のウエスト部ＷＴの伸張状態の内寸長さ（Ｌ２）を測定する。内寸長さ（Ｌ２）は、２本の円柱棒の厚みを考慮して、以下の式により求める。ここで、以下の式は、２本の円柱棒の厚みを、即ち、直径７ｍｍの円柱棒の半円周長の２本分を、７×３．１４×（１／２）×２＝２１．９８ｍｍ≒２２ｍｍとして考慮している。
内寸長さ（Ｌ２）＝チャック間距離×２＋２２
上記効果を一層奏する観点から、伸長状態のおむつ１におけるウエスト部ＷＴでの内寸の長さ（Ｌ２）は、２０５ｍｍ以上であることが更に好ましく、２３０ｍｍ以上であることが特に好ましく、そして、３１０ｍｍ以下であることが更に好ましく、２９０ｍｍ以下であることが特に好ましく、具体的には、２０５ｍｍ以上３１０ｍｍ以下であることが更に好ましく、２３０ｍｍ以上２９０ｍｍ以下であることが特に好ましい。
【００３２】
前記構成要件（５）：おむつ１の自然状態のウエスト部ＷＴの内寸の長さ（Ｌ１）に対する、おむつ１を横方向Ｙに１０Ｎ荷重させた伸長状態から荷重を開放した状態におけるウエスト部ＷＴの内面での一対のサイドシール部Ｓ，Ｓどうしの間の内寸の長さ（Ｌ３）の割合（（Ｌ３／Ｌ１）×１００）が、１４０％以下であること。ここで、横方向Ｙに１０Ｎ荷重させた伸長状態から荷重を開放した状態のおむつ１におけるウエスト部ＷＴでの内寸の長さ（Ｌ３）は、次の要領で求められる。横方向Ｙに１０Ｎ荷重させた伸長状態のおむつ１におけるウエスト部ＷＴでの内寸の長さ（Ｌ２）を測定した後、解放し、解放後２分経過した状態のおむつ１において測定する。測定は、解放した状態のおむつ１のウエスト開口部ＷＨの開口周縁、ウエスト開口部ＷＨの開口周縁から吸収体２３（吸収性本体２）側に１５ｍｍ離れた位置、及びウエスト開口部ＷＨの開口周縁から吸収体２３（吸収性本体２）側に３５ｍｍ離れた位置の３か所で、一対のサイドシール部Ｓ，Ｓどうしの間の長さを測定し、それらの平均値を内寸の長さ（Ｌ３）とする。上記効果を一層奏する観点から、開放した状態のおむつ１におけるウエスト部ＷＴでの内寸の長さ（Ｌ３）は、１００ｍｍ以上であることが更に好ましく、１１０ｍｍ以上であることが特に好ましく、そして、１７０ｍｍ以下であることが更に好ましく、１５０ｍｍ以下であることが特に好ましく、具体的には、１００ｍｍ以上１５０ｍｍ以下であることが更に好ましく、１１０ｍｍ以上１７０ｍｍ以下であることが特に好ましい。
【００３３】
前記構成要件（６）：ウエスト部ＷＴでのヤング率（Ｙ１）が２．４×１０-4Ｎ／ｍｍ2以下であること。ここで、ウエスト部ＷＴのヤング率（Ｙ１）は、引張試験機（例えば株式会社島津製作所製ＡＵＴＯＧＲＡＰＨ  ＡＧ−Ｘ）を用いて、次の要領で求められる。
長さ１５０ｍｍ・直径７ｍｍの円柱棒を２本用意する。測定環境温度は２５℃とする。測定サンプルとしては、ウエスト部ＷＴをサイドシール部Ｓでリング状に繋がった形態をおむつ１から切り出したものを用意する。具体的な一例としては、ウエスト開口部ＷＨの開口周縁から吸収体２３側に３５ｍｍの位置まで、サイドシール部Ｓでリング状に繋がった形態のウエスト部ＷＴを幅３５ｍｍとなるようにおむつ１から切り出したものを用意する。このリング状の測定サンプルに２本の円柱棒を挿入する。次いで、引張試験機の上下一対のチャックそれぞれで、挿入した各円柱棒の両端部のみを挟持し、上下一対のチャック間に、２本の円柱棒が挿入されたリング状の測定サンプルをセットする。次いで、２本の円柱棒の中心（円柱棒の断面の中心）間距離を８９ｍｍに設定する。そして、３００ｍｍ／ｍｉｎの引張速度で、２本の円柱棒の中心間が２８９ｍｍとなるまで引っ張った際の応力−歪曲線を作成する。そして作成される応力−歪曲線から、測定サンプルを引っ張った際の、２本の円柱棒の中心間が１３９ｍｍの時点（周囲長３００ｍｍ）の荷重、及び２本の円柱棒の中心間が２３９ｍｍの時点（周囲長５００ｍｍ）の荷重に基づきヤング率を求める。ここで、引張試験機の上下一対のチャック間は、２本の円柱棒の厚みを、即ち、直径７ｍｍの円柱棒の半円周長の２本分を、７×３．１４×（１／２）×２＝２１．９８ｍｍ≒２２ｍｍとして考慮して設定している。
具体的には、ヤング率は、以下の式により求める。測定は３回行い、それらの平均値をウエスト部ＷＴでのヤング率（Ｙ１）とする。
ヤング率＝（２本の円柱棒の中心間２３９ｍｍの時点（周囲長５００ｍｍ）の荷重−２本の円柱棒の中心間１３９ｍｍの時点（周囲長３００ｍｍ）の荷重）／（２００×３５）
【００３４】
上述した、仰向けに寝かせた状態の乳児に対しておむつ１を容易に履かせ易いとの効果を一層奏する観点から、ウエスト部ＷＴでのヤング率（Ｙ１）に対する、おむつ１の胴周り部ＤＴでのヤング率（Ｙ２）の比（Ｙ２／Ｙ１）が１．５倍以上であることが好ましく、１．７倍以上であることが更に好ましく、１．９倍以上であることが特に好ましい。ここで、胴周り部ＤＴのヤング率（Ｙ２）は、ウエスト部ＷＴのヤング率（Ｙ１）と同様に、引張試験機（例えば株式会社島津製作所製ＡＵＴＯＧＲＡＰＨ  ＡＧ−Ｘ）を用いて、次の要領で求められる。
長さ１５０ｍｍ・直径７ｍｍの円柱棒を２本用意する。測定環境温度は２５℃とする。測定サンプルとしては、上述したウエスト部ＷＴでのヤング率を測定するためのリング状の測定サンプルを切り出したおむつを用い、該おむつの切り出し位置からレッグ開口部ＬＨ側に３５ｍｍの位置まで、サイドシール部Ｓでリング状に繋がった形態の胴周り部ＤＴを幅３５ｍｍとなるようにおむつ１から切り出したものを用意する。この３５ｍｍ幅のリング状の測定サンプルに２本の円柱棒を挿入する。次いで、引張試験機の上下一対のチャックそれぞれで、挿入した各円柱棒の両端部のみを挟持し、上下一対のチャック間に、２本の円柱棒が挿入されたリング状の測定サンプルをセットする。次いで、２本の円柱棒の中心（円柱棒の断面の中心）間距離を８９ｍｍに設定する。そして、３００ｍｍ／ｍｉｎの引張速度で、２本の円柱棒の中心（円柱棒の断面の中心）間が２８９ｍｍとなるまで引っ張った際の応力−歪曲線を作成する。そして作成される応力−歪曲線から、測定サンプルを引っ張った際の、２本の円柱棒の中心間が１３９ｍｍの時点（周囲長３００ｍｍ）の荷重、及び２本の円柱棒の中心間が２３９ｍｍの時点（周囲長５００ｍｍ）の荷重に基づきヤング率を求める。ここで、引張試験機の上下一対のチャック間は、２本の円柱棒の厚みを、即ち、直径７ｍｍの円柱棒の半円周長の２本分を、７×３．１４×（１／２）×２＝２１．９８ｍｍ≒２２ｍｍとして考慮して設定している。
具体的には、ヤング率は、上述した式により求める。測定は３回行い、それらの平均値を胴周り部ＤＴでのヤング率（Ｙ２）とする。
【００３５】
上述した効果を一層奏する観点から、おむつ１の胴周り部ＤＴでのヤング率（Ｙ２）は、２．６×１０-4Ｎ／ｍｍ2以上であることが好ましく、３．２×１０-4Ｎ／ｍｍ2以上であることが更に好ましく、４．９×１０-4Ｎ／ｍｍ2以下であることが好ましく、４．５×１０-4Ｎ／ｍｍ2以下であることが更に好ましく、具体的には、２．６×１０-4Ｎ／ｍｍ2以上４．９×１０-4Ｎ／ｍｍ2以下であることが好ましく、３．２×１０-4Ｎ／ｍｍ2以上４．５×１０-4Ｎ／ｍｍ2以下であることが更に好ましい。
【００３６】
また、上述した、仰向けに寝かせた状態の乳児に対しておむつ１を容易に履かせ易いとの効果を一層奏する観点から、おむつ１を展開し且つ縦方向Ｘに最大に伸長させた伸長状態（図２参照）における外装体３の股下領域Ｂでの最小股間幅の位置Ｍ１が、おむつ１を縦方向Ｘに二等分して横方向Ｙに延びる横二等分線ＣＬｘよりも腹側領域Ａ側に配されていることが好ましい。好適に、外装体３の股下領域Ｂの前記位置Ｍ１での最小股間幅は、１４０ｍｍ以上であることが好ましく、１５０ｍｍ以上であることが更に好ましく、特に乳児の体型に合わせた着用時のフィット感の観点から、１９０ｍｍ以下であることが好ましく、１８０ｍｍ以下であることが更に好ましく、具体的には、１４０ｍｍ以上１９０ｍｍ以下であることが好ましく、１５０ｍｍ以上１８０ｍｍ以下であることが更に好ましい。
【００３７】
また、上述した、仰向けに寝かせた状態の乳児に対しておむつ１を容易に履かせ易いとの効果を一層奏する観点から、おむつ１のレッグ開口部ＬＨを最大に伸長させた伸長状態におけるレッグ開口部ＬＨの内周面での周囲長が、２７０ｍｍ以上であることが好ましく、２９０ｍｍ以上であることが更に好ましく、特に乳児の体型に合わせた着用時のフィット感の観点から、３５０ｍｍ以下であることが好ましく、３３０ｍｍ以下であることが更に好ましく、具体的には、２７０ｍｍ以上３５０ｍｍ以下であることが好ましく、２９０ｍｍ以上３３０ｍｍ以下であることが更に好ましい。ここで、おむつ１の「レッグ開口部ＬＨを最大に伸長させた伸長状態」とは、おむつ１のレッグ開口部ＬＨのレッグ周縁部ＬＳに配されたレッグ弾性部材３３の伸縮応力に抗してレッグ開口部ＬＨを最大に伸長させて設計寸法（弾性部材の影響を一切排除した状態で広げたときの寸法と同じ）となるまで拡げた状態をいう。
【００３８】
また、上述した、仰向けに寝かせた状態の乳児に対しておむつ１を容易に履かせ易いとの効果を一層奏する観点から、おむつ１のレッグ開口部ＬＨにされたレッグギャザー形成用の弾性部材３３は、その伸長倍率が、１．８倍以上で配されていることが好ましく、１．９倍以上で配されていることが更に好ましく、２．４倍以下で配されていることが好ましく、２．２倍以下で配されていることが更に好ましく、具体的には、１．８倍以上２．４倍以下で配されていることが好ましく、１．９倍以上２．２倍以下で配されていることが更に好ましい。レッグギャザー形成用の弾性部材３３の伸長倍率は、例えば、以下のようにして測定することができる。おむつ１の弾性部材３３の長さを３３Ａとし、おむつ１から取り出した弾性部材３３の長さを３３ａとしたときに、次式で求められる。
伸長倍率＝３３Ａ／３３ａ
【００３９】
また、上述した、仰向けに寝かせた状態の乳児に対しておむつ１を容易に履かせ易いとの効果を一層奏する観点から、おむつ１のウエスト開口部ＷＨを含むウエスト部ＷＴにされた胴周り弾性部材３４は、その伸長倍率が、２．２倍以上で配されていることが好ましく、２．４倍以上で配されていることが更に好ましく、３．２倍以下で配されていることが好ましく、２．９倍以下で配されていることが更に好ましく、具体的には、２．２倍以上３．２倍以下で配されていることが好ましく、２．４倍以上２．９倍以下で配されていることが更に好ましい。おむつ１の胴周り部ＤＴにされた胴周り弾性部材３４は、その伸長倍率が、２．３倍以上で配されていることが好ましく、２．５倍以上で配されていることが更に好ましく、３．３倍以下で配されていることが好ましく、３．１倍以下で配されていることが更に好ましく、具体的には、２．３倍以上３．３倍以下で配されていることが好ましく、２．５倍以上３．１倍以下で配されていることが更に好ましい。胴周り弾性部材３４の伸長倍率は、例えば、以下のようにして測定することができる。おむつ１の胴周り弾性部材３４の長さを３４Ａとし、おむつ１から取り出した弾性部材３４の長さを３４ａとしたときに、次式で求められる。
伸長倍率＝３４Ａ／３４ａ
【００４０】
また、上述した、仰向けに寝かせた状態の乳児に対しておむつ１を容易に履かせ易いとの効果を一層奏する観点から、図２に示す如き展開且つ伸長状態の平面視において、おむつ１の吸収体２３の縦方向Ｘの腹側領域Ａ側の端部及び背側領域Ｃ側の端部における幅（横方向Ｙの長さ）が、８０ｍｍ以上であることが好ましく、９０ｍｍ以上であることが更に好ましく、１５０ｍｍ以下であることが好ましく、１３５ｍｍ以下であることが更に好ましく、具体的には、８０ｍｍ以上１５０ｍｍ以下であることが好ましく、９０ｍｍ以上１３５ｍｍ以下であることが更に好ましい。
【００４１】
以上、本考案をその好ましい実施形態に基づき説明したが、本考案のパンツ型使い捨ておむつは前記実施形態のおむつ１に何ら制限されるものではなく、本考案の趣旨を逸脱しない範囲で適宜変更可能である。
【００４２】
例えば、上述の実施形態のおむつ１では、図２に示すように、外装体３の外層シート３１が、内層シート３２の縦方向Ｘの両端縁それぞれから外方に延出する部分を有しており、その延出部が折り返されて形成される折り返し部３１０が、吸収性本体２（吸収体２３）の縦方向Ｘの端部を覆っているが、折り返し部３１０を有さない形態であってもよく、外層シート３１とは別体のシートで吸収性本体２（吸収体２３）の縦方向Ｘの端部を覆う形態であってもよい。
【符号の説明】
【００４３】
１  パンツ型使い捨ておむつ
Ａ  腹側領域
Ｂ  股下領域
Ｃ  背側領域
Ｓ  サイドシール部
ＷＨ  ウエスト開口部
ＷＴ  ウエスト部
ＤＴ  胴周り部
ＬＨ  レッグ開口部
ＬＳ  レッグ周縁部
Ｆ  前身頃
Ｒ  後身頃
２  吸収性本体
２１  表面シート
２２  裏面シート
２３  吸収体
３  外装体（おむつの外形を形成する主体部）
３１  外層シート
３１０  折り返し部
３２  内層シート
３３  レッグ弾性部材
３４  胴周り弾性部材
Ｘ  縦方向
Ｙ  横方向
【図１】
0003207593.tif 000003
【図２】
0003207593.tif 000004
【図３】
0003207593.tif 000005
【図４】
0003207593.tif 000006
【図５】
0003207593.tif 000007